(57)【特許請求の範囲】
【請求項１】
家電とサーバ装置と通信端末装置とが通信ネットワークを介して接続された家電ネットワークシステムであって、
前記通信端末装置は、自身が備えるセンサのセンシング情報を前記サーバ装置へ送信する処理を所望のタイミングで受け付けて実行する情報投稿部を備え、
前記サーバ装置は、前記通信端末装置より受信したセンシング情報より家電に命じる動作内容を決定するための情報を抽出する抽出部を備え、
前記サーバ装置又は家電は、前記抽出部にて抽出された情報に基づいて家電の動作内容を決定する決定部を備え、
前記家電は、前記決定部にて決定された動作内容を実行し、
前記情報投稿部は、自身が備える複数のセンサの中から、センシング情報を送信する対象のセンサを選択させるための情報選択画面を表示し、該情報選択画面にて選択されたセンサのセンシング情報を前記サーバ装置に送信し、かつ、
前記情報投稿部は、センシング情報を利用させ得る複数の家電の中から、センシング情報を利用させる対象の家電を選択させるための家電選択画面を表示し、該家電選択画面にて選択された家電を示す情報を、前記センシング情報と共に前記サーバ装置に送信することを特徴とする家電ネットワークシステム。
【請求項２】
前記センシング情報が、撮像画像、位置情報又は歩数情報であることを特徴とする請求項１に記載の家電ネットワークシステム。
【請求項３】
前記センシング情報が撮影画像であり、
前記サーバ装置又は家電に、撮影画像の位置に関する情報と、予め登録されている家電の位置に関する情報とを比較して、前記家電選択画面にて選択された家電と撮影画像とに齟齬がないことを確認する認定部が設けられていることを特徴とする請求項１に記載の家電ネットワークシステム。
【請求項４】
家電とサーバ装置と通信端末装置とが通信ネットワークを介して接続された家電ネットワークシステムであって、
前記通信端末装置は、自身が備えるセンサのセンシング情報を前記サーバ装置へ送信する処理を所望のタイミングで受け付けて実行する情報投稿部を備え、
前記サーバ装置は、前記通信端末装置より受信したセンシング情報より家電に命じる動作内容を決定するための情報を抽出する抽出部を備え、
前記サーバ装置又は家電は、前記抽出部にて抽出された情報に基づいて家電の動作内容を決定する決定部を備え、
前記家電は、前記決定部にて決定された動作内容を実行し、
前記情報投稿部は、センシング情報を利用させ得る複数の家電の中から、センシング情報を利用させる対象の家電を選択させるための家電選択画面を表示し、該家電選択画面にて選択された家電を示す情報を、前記センシング情報と共に前記サーバ装置に送信し、
前記センシング情報が撮影画像であり、
前記サーバ装置又は家電に、撮影画像の位置に関する情報と、予め登録されている家電の位置に関する情報とを比較して、前記家電選択画面にて選択された家電と撮影画像とに齟齬がないことを確認する認定部が設けられていることを特徴とする家電ネットワークシステム。
【発明の詳細な説明】
【技術分野】
【０００１】
本発明は、通信機能を有するセンサと家電（家庭用電子機器）を、通信ネットワークを介して接続した家電ネットワークシステムに関する。
【背景技術】
【０００２】
携帯電話やスマートフォン等の通信端末装置と家電を、通信ネットワークを介して接続して、通信端末装置で家電を遠隔操作したり、家電の稼働状態を通信端末装置で遠隔にて確認したりする技術がある（例えば、特許文献１）。
【０００３】
通信端末装置には、カメラや、位置情報を取得するセンサ類が搭載されている。したがって、通信端末装置は、携帯できる通信機能付センサ（以下、携帯型通信機能付センサ）とも表現できる。
【０００４】
市場には、内蔵されたセンサを用いてセンシングした情報（以下、センシング情報）に基づいて発話する家電も登場している。センシングとは、センサを利用した計測・判別を行うことである。
【０００５】
また、通信端末装置と冷蔵庫を、通信ネットワークを介して接続し、ユーザが庫内画像を要求すると、庫内に設置されたカメラ（センサ）によって撮影された庫内画像（センシング情報）がユーザに伝送され、これを基にユーザが足りないと思う食材を書き込むと、サーバにアクセスして、安価に食品を提供してくれる店舗の情報を表示する等のサービスも提案されている（例えば、特許文献２）。
【０００６】
さらに、室内に室内環境検出装置を設け、該装置による室内のセンシング情報と、外部の電力供給先より送信されてくる電力制御信号とに基づいて、室内に設置された空気調和機の運転を制御する空気調和機の制御装置もある（特許文献３）。
【先行技術文献】
【特許文献】
【０００７】
【特許文献１】特開２００６−１４０６９１号公報（２００６年６月１日公開）
【特許文献２】特開２００２−２４３３３５号公報（２００２年８月２８日公開）
【特許文献３】特開平１０−０３０８３４号公報（１９９８年２月３日公開）
【発明の概要】
【発明が解決しようとする課題】
【０００８】
ところが、上記従来の技術では、家電がセンシング情報を利用できるセンサは、当該家電が内蔵するセンサか、当該家電の動作を制御するために室内に設置された専用のセンサに限定されている。
【０００９】
そのため、家電が他のセンシング情報を利用するためには、別のセンサを追加で設ける必要があり、コストがかかる。また、別のセンサの追加を可能とするためには、設計段階で拡張ポート等を準備しておく必要があり、これによってもコストがかかる。さらに、別のセンサを設置する場所は、家電内部か家電の設置空間内に限られるため、当該家電から離れた環境でセンシングされた情報を利用することはできない。
【００１０】
本発明は、このような課題に鑑みなされたもので、その目的は、家電内部やその設置空間に専用のセンサを増設することなく、家電が利用できるセンシング情報を増やして、家電の利便性を向上させ得る家電ネットワークシステムを提供することにある。
【課題を解決するための手段】
【００１１】
本発明の一態様に係る家電ネットワークシステムは、家電とサーバ装置と通信端末装置とが通信ネットワークを介して接続された家電ネットワークシステムであって、前記通信端末装置は、自身が備えるセンサのセンシング情報を前記サーバ装置へ送信する処理を所望のタイミングで受け付けて実行する情報投稿部を備え、前記サーバ装置は、前記通信端末装置より受信したセンシング情報より家電に命じる動作内容を決定するための情報を抽出する抽出部を備え、前記サーバ装置又は家電は、前記抽出部にて抽出された情報に基づいて家電の動作内容を決定する決定部を備え、前記家電は、前記決定部にて決定された動作内容を実行することを特徴とする。
【発明の効果】
【００１２】
本発明の一態様に係る家電ネットワークシステムによれば、家電内部やその設置空間に専用のセンサを増設することなく、家電が利用できるセンシング情報を増やして、家電の利便性を向上させ得るという効果を奏する。
【図面の簡単な説明】
【００１３】
【図１】本発明の実施の形態１にかかる家電ネットワークシステムの概略構成を示す図である。
【図２】上記家電ネットワークシステムにおけるクラウドサーバの概略構成を示す図である。
【図３】上記家電ネットワークシステムにおける通信端末装置の概略構成を示す図である。
【図４】上記通信端末装置に表示されるセンシング情報を投稿する家電を選択するための家電選択画面の一例を示す図である。
【図５】上記通信端末装置に表示される家電に投稿するセンシング情報を選択するための情報選択画面の一例を示す図である。
【図６】上記家電ネットワークシステムにおける家電の概略構成を示す図である。
【図７】上記家電ネットワークシステムに含まれる各装置の処理の一例を示す図である。
【図８】本発明の実施の形態５にかかる家電ネットワークシステムに含まれる各装置の処理の一例を示す図である。
【図９】本発明の実施の形態６にかかる家電ネットワークシステムに含まれる各装置の処理の一例を示す図である。
【図１０】本発明の実施の形態７にかかる家電ネットワークシステムにおける通信端末装置の概略構成を示す図である。
【図１１】上記実施の形態７の家電ネットワークシステムにおける通信端末装置に表示されるスペシャル調理メニューの提案を要請できるポップアップ画面の一例を示す図である。
【発明を実施するための形態】
【００１４】
〔実施の形態１〕
本発明の実施の一形態について図１〜７に基づいて説明する。なお、本実施の形態では、通信端末装置にて家電を遠隔操作する遠隔操作システムに家電ネットワークシステムを組み入れた構成を例示するが、遠隔操作システムとの組み合わせは必須ではない。また、本実施の形態では、通信端末装置が備えるカメラ（センサ）による撮影画像（センシング情報）を、家電であるエアコン（空気調和機）、オーブンレンジ、冷蔵庫，洗濯機および空気清浄機に投稿して利用させる構成を例示する。
【００１５】
（家電ネットワークシステム１００の構成）
図１は、本実施の形態に係る家電ネットワークシステム１００の概略構成を示す図である。図１に示すように、家電ネットワークシステム１００では、ユーザ宅５０に設置されている家電（電子機器）１０（１０−１，１０−２，１０−３，１０−４，１０−５、０−６）と、クラウドサーバ（サーバ装置）２０と、通信端末装置３０（３０−１，３０−２，３０−３）とが、広域通信ネットワーク６２を介して接続されている。
【００１６】
家電１０は、広域通信ネットワーク６２に接続され、該広域通信ネットワーク６２を介して制御可能なネットワーク家電である。家電１０は、広域通信ネットワーク６２への接続機能を持たない家電本体に、通信機能を有する通信アダプタを接続することで、ネットワーク家電として構成されたものであってもよい。本実施の形態では、家電１０として、エアコン１０−１，オーブンレンジ１０−２，冷蔵庫１０−３，洗濯機１０−４，空気清浄機１０−５および炊飯器１０−６を備えている。
【００１７】
通信端末装置３０は、専用のアプリケーションがダウンロードされているスマートフォンやタブレット端末等を挙げることができる。通信端末装置３０には、カメラ、位置情報（例えばＧＰＳ）を取得する位置センサ、歩数を計測する歩数センサ、温度センサ、湿度センサ等のセンサが搭載されている。
【００１８】
クラウドサーバ２０は、通信端末装置３０と家電１０とを対応付けて、その組み合わせを登録管理している。クラウドサーバ２０に組み合わせが登録されることで、通信端末装置３０を用いて、対応付けられた家電１０を遠隔操作したり、遠隔にて対応付けられた家電１０の稼働状態を確認したりすることができる。さらに、対応付けられた家電１０に、通信端末装置３０に備えられたセンサのセンシング情報を送信して、該センシング情報を利用した動作を行わせることができる。上述したように、本実施の形態では、通信端末装置３０のカメラ（センサ）による撮影画像（センシング情報）を家電１０に送信して利用させる。
【００１９】
１台の通信端末装置３０につき、複数台の家電１０を遠隔操作の対象として対応付けることができる。また、１台の家電１０につき、複数台の通信端末装置３０を遠隔操作元として対応付けることができる。
【００２０】
ユーザ宅５０には、狭域通信ネットワークである無線ＬＡＮ（Wireless Local Area Network）が整備されている。無線ＬＡＮの中継局４０は、インターネットを含む広域通信ネットワーク６２と接続されている。中継局４０は、例えばＷｉＦｉ（登録商標）ルータやＷｉＦｉアクセスポイント等の通信機器である。本実施の形態では、広域通信ネットワーク６２としてインターネットを含む構成を例示しているが、電話回線網、移動体通信網、ＣＡＴＶ（CAble TeleVision）通信網、衛星通信網等を利用することもできる。
【００２１】
クラウドサーバ２０とユーザ宅５０に設置された家電１０とは、広域通信ネットワーク６２および無線ＬＡＮの中継局４０を介して通信可能となっている。また、クラウドサーバ２０と通信端末装置３０とは、広域通信ネットワーク６２を介して通信可能になっている。通信端末装置３０と広域通信ネットワーク６２におけるインターネットとの間は、３Ｇ（3rd Generation）、ＬＴＥ（Long Term Evolution）や、宅内あるいは公衆のＷｉＦｉアクセスポイント等を利用して接続される。また、家電１０および通信端末装置３０は、いずれも無線通信機器であり、広域通信ネットワーク６２を介することなく、中継局４０を介して相互に通信することもできる。
【００２２】
なお、言うまでもないが、図１で例示する家電１０−１〜１０−６の種類や台数、通信端末装置３０−１〜３０−３の種類や台数、ユーザ宅５０数等は一例に過ぎない。クラウドサーバ２０も同様で、１台のみ記載しているが、複数台のクラウドサーバ２０が機能を分担する構成であってもよい。また、サーバ装置として、クラウドサービスを提供するクラウドサーバ２０を用いて説明するが、クラウドサーバに限定されることはない。
【００２３】
（クラウドサーバ２０の構成）
図２は、遠隔操作システム１００におけるクラウドサーバ２０の概略構成を示すブロック図である。クラウドサーバ２０は、各ユーザ宅５０に備えられた各家電１０を管理するサーバであり、図２に示すように、制御部２１、記憶部２２および通信部２３を備えている。
【００２４】
制御部２１は、例えば、ＣＰＵ（Central Processing Unit）や専用プロセッサ等の演算処理部等により構成されるコンピュータ装置からなり、クラウドサーバ２０の各部の動作を制御する。記憶部２２は、クラウドサーバ２０で用いられる各種情報（データ）を記憶する。通信部２３は、広域通信ネットワーク６２を介して、家電１０および通信端末装置３０と相互通信を行う。
【００２５】
また、上記制御部２１には、対応付管理部２１ａ、認証部２１ｂ、情報抽出部（抽出部）２１ｃおよび動作制御部（決定部）２１ｄが構築される。
【００２６】
対応付管理部２１ａは、通信端末装置３０と遠隔操作可能な家電１０との対応付けを管理する。記憶部２２には、対応付管理部２１ａが作成して管理に用いる、通信端末装置３０と家電１０の対応テーブルが格納されている。
【００２７】
認証部２１ｂは、通信端末装置３０より送信されてくる撮影画像と、該撮影画像を利用する家電１０との間に齟齬が無いかどうかを確認する。具体的には、通信端末装置３０より送信されてくる撮影画像と、家電１０毎に登録されている家電１０に関する情報（後述する郵便番号等）とを、対応・比較して齟齬の有無を判定する。記憶部２２には、認証部２１ｂが判定のために参照する、家電１０に関する情報等も格納されている。
【００２８】
通信端末装置３０備えられたカメラで撮影された画像には、撮影時間等の情報と共に、撮影場所の情報が付加されている。撮影場所の情報には、撮影時の通信端末装置３０の位置情報（例えば、ＧＰＳ）等が用いられる。したがって、認証部２１ｂは、撮影画像送信時の通信端末装置３０の位置情報、あるいは撮像画像に付加された撮影場所の情報と、対象の家電１０に関する情報の１つである郵便番号とを比較して、撮影画像が対象の家電１０の設置場所近傍で撮られたものであるかどうかを判定する。
【００２９】
情報抽出部２１ｃは、通信端末装置３０より送信されるセンシング情報をデータ処理して、対象の家電１０の動作内容を決定するための情報を抽出する。本実施の形態では、センシング情報が撮影画像であるので、情報抽出部２１ｃは画像処理を行って、撮影画像より動作内容を決定するための情報を抽出する。以下に、具体例を挙げる。
【００３０】
１）撮影画像が室内を撮影した画像である場合は、画像に含まれる人数を判定し、人数の情報を抽出する。
【００３１】
２）撮影画像が屋外を撮影した画像である場合には、画像より天気（晴、曇、雨等）を判定し、天気情報を抽出する。
【００３２】
３）撮影画像が洗濯機の洗濯槽を撮影した画像である場合は、洗濯槽内の洗濯物の量を判定し、洗濯物の量の情報を抽出する。例えば、洗濯機がドラム式であれば、洗濯物を入れたドラムを、ドアを開けた状態で正面から撮影することで、どの程度の洗濯物が入っているかを概算して、洗濯物の量を判定できる。
【００３３】
４）撮影画像が冷蔵庫の庫内を撮影した画像である場合は、庫内の食材を判定し、庫内の食材の情報を抽出する。クラウドサーバ２０側に、野菜や魚肉など、市販の商品（食品）に関するデータベースを用意し、各商品の色々な方向からの画像を機械学習させておくことにより、画像に写っている範囲で庫内にある商品（食材）のある程度の認識が可能である。
【００３４】
その他、例えば、洗濯槽の撮影画像から、通常の洗濯物か、毛布やタオルケット・シーツ等の大物であるか等を判定して、洗濯物の種類の情報を抽出してもよい。例えば、画像内の洗濯物の模様・特徴が全体的に一様である場合通常の洗濯ではなく、毛布やタオルケット・シーツ等の大物であると判定することができる。
【００３５】
また、冷蔵庫に食品を収容する際に、各食品の賞味期限が冷蔵庫の扉を開いた状態で視認できるように収容する必要はあるが、冷蔵庫内の撮影画像から、賞味期限間近な食材を判定して、賞味期限間近な食材の情報を抽出してもよい。記憶部２２には、情報抽出部２１ｃが、センシング情報より動作内容を決定するための情報を抽出するのに必要な情報等も格納されている。
【００３６】
動作決定部２１ｄは、情報抽出部２１ｃによる抽出の結果に基づいて、対象の家電１０にて実行させる動作内容を決定する。以下に、具体例を挙げる。
【００３７】
Ｉ）対象の家電１０がエアコン１０−１であり、人数の情報が抽出された場合には、人数に応じた動作内容を決定する。例えば、人数が基準よりも多い場合、冷房時は強冷房とし、暖房時は弱暖房とする。一方、人数が基準より少ない場合、冷房時は弱冷房とし、暖房時は強暖房とする。また、このようなエアコン１０−１の動作変更に合わせて、例えば「今日は賑やかだね、冷やすよ！（強冷房への変更時）」や、「今日は賑やかだね、少し涼しくするね！（弱暖房への変更時）」といった発話も指示する。
【００３８】
II）対象の家電１０がエアコン１０−１であり、天気の情報が抽出された場合には、天気に応じた動作内容を決定する。例えば、天気が晴の場合、冷房時は冷房を強め、暖房時は暖房を弱める。一方、天気が曇りや雨の場合には、除湿動作を追加したりする。また、このようなエアコン１０−１の動作変更に合わせて、例えば「今日は晴だね、冷やすよ！（冷房を強める時）」や、「今日はムシムシするね、除湿するよ！（除湿動作を追加する時）」といった発話も指示する。
【００３９】
III）対象の家電１０が洗濯機１０−４であり、洗濯物の量の情報が抽出された場合には、選択物の量に合った動作内容を決定する。例えば、量が標準よりも多い場合、洗剤投入量を増やして、洗い・すすぎ・脱水・乾燥の各時間を長くする。一方、量が標準よりも少ない場合は、洗剤投入量を減らして、洗い・すすぎ・脱水間・乾燥の各時間を短くする。また、このような洗濯機１０−４の動作変更に合わせて、例えば「今日は山盛りだね、少し長くかかるよ！（量が多い時）」や、「今日は少ないね、早く終わるよ！（量が少ない時）」といった発話も指示する。
【００４０】
IV）対象の家電１０が洗濯機１０−４であり、天気の情報が抽出された場合には、天気に応じた動作内容を決定する。例えば、天気が晴の場合、洗濯・乾燥モードを洗濯モードに変更する。一方、天気が曇りや雨の場合には、洗濯モードを洗濯・乾燥モードとする。また、このような洗濯機１０−４の動作変更に合わせて、例えば「今日は晴だよ、外に干そうよ！（洗濯モードへの変更時）」や、「今日は乾きにくいよ、乾燥させるね！（洗濯・乾燥モードへの変更時）」といった発話も指示する。
【００４１】
Ｖ）対象の家電１０が冷蔵庫１０−３又はオーブンレンジ１０−２であり、食材の情報が抽出された場合には、食材に合った動作内容を決定する。食材にあった動作内容とは、例えば、食材にあった調理メニューを提案する発話動作である。
【００４２】
VI）対象の家電１０が空気清浄機１０−５であり、天気の情報が抽出された場合には、天気に応じた動作内容を決定する。例えば、天気が曇りや雨の場合には、加湿運転を停止する。また、このような空気清浄機１０−５の動作変更に合わせて、例えば「今日はジメジメしているよ、加湿はやめるね！」といった発話も指示する。
【００４３】
その他、例えば、洗濯槽の撮影画像から、洗濯物が毛布である情報が抽出された場合には、毛布に適した洗濯コースに変更したり、賞味期限間近な食材の情報が抽出された場合には、この食材を使用する調理メニューを提案したりする等、様々な例が考えられる。
【００４４】
家電１０が発話する音声データは、クラウドサーバ２０から家電１０にダウンロードさせてもよいし、家電１０に備えられているものを利用できる発話内容であれば、発話動作を指示するだけでもよい。記憶部２２には、動作決定部２１ｄが、情報抽出部２１ｃによって抽出された動作内容を決定するための情報に基づいて、家電１０にて実行させる動作内容を決定するのに必要な情報等も格納されている。
【００４５】
また、動作決定部２１ｄは、決定した動作内容（発話動作も含む）にて対象の家電１０を駆動させるための制御コマンドを送信する。制御コマンドを受信した家電１０は、当該制御コマンドに従って動作する。記憶部２２には、動作内容と制御コマンドの対応テーブルも格納されている。
【００４６】
（通信端末装置３０の構成）
図３は、家電ネットワークシステム１００における通信端末装置３０の概略構成を示すブロック図である。通信端末装置３０は、図３に示すように、制御部３１、記憶部３２、表示操作部３３、通信部３４、カメラ３６、位置センサ３７、歩数センサ３８、温度センサ３５および湿度センサ３９を備えている。
【００４７】
制御部３１は、例えば、ＣＰＵ（Central Processing Unit）や専用プロセッサ等の演算処理部等により構成されるコンピュータ装置からなり、通信端末装置３０の各部の動作を制御する。制御部３１は、カメラ３６、位置センサ３７、歩数センサ３８、温度センサ３５および湿度センサ３９を制御して、センシング情報として、撮影画像、位置情報、歩数情報を取得する。
【００４８】
記憶部３２は、通信端末装置３０で用いられる各種情報（データ）を記憶する。カメラ３６の撮影画像や、歩数情報等も記憶部３２に格納される。表示操作部３３は、ユーザに提示するための各種情報を表示し、また、表示情報に対する操作入力を受け付ける。通信部３４は、広域通信ネットワーク６２を介した通信と、無線ＬＡＮの中継局４０を介した装置間の相互通信とを行う。
【００４９】
また、制御部３１には、遠隔操作部３１ａおよび情報投稿部３１ｂが構築される。遠隔操作部３１ａおよび情報投稿部３１ｂは、通信端末装置３０にダウンロードされた専用のアプリケーション等により構築される。遠隔操作部３１ａは、家電１０に対応した操作画面を表示操作部３３に表示して、家電１０に対する遠隔操作を受け付ける。制御部３１は、操作画面で操作指示を受け付けると、受け付けた操作指示の実行を命じる制御コマンドをクラウドサーバ２０に送信する。
【００５０】
情報投稿部３１ｂは、通信端末装置３０自身が備えるセンサのセンシング情報をクラウドサーバ２０へ送信する処理を所望のタイミングで受け付けて実行する。情報投稿部３１ｂは、通信端末装置３０が備えるセンサによるセンシング情報を、センシング情報を利用させる家電１０を示す情報と共にクラウドサーバ２０に送信する。情報投稿部３１ｂは、図４に示すような、センシング情報を投稿する家電１０を選択させるための家電選択画面を表示操作部３３に表示して、投稿する家電１０を選択させる。図４の例では、対応付けられているエアコン１０−１，オーブンレンジ１０−２，冷蔵庫１０−３，洗濯機１０−４および空気清浄機１０−５に対応したアイコンがそれぞれ表示されている。情報投稿部３１ｂは、家電選択画面で家電１０のアイコンがタップ（操作）されると、タップされたアイコンに対応した家電１０を、センシング情報の投稿先に決定する。
【００５１】
また、情報投稿部３１ｂは、図５に示すような、家電１０に投稿するセンシング情報を選択させる情報選択画面を表示操作部３３に表示して、投稿するセンシング情報を選択させる。図５の例では、カメラ３６、位置センサ３７、歩数センサ３８、温度センサ３５および湿度センサ３９に対応したアイコンがそれぞれ表示されている。情報投稿部３１ｂは、情報選択画面でセンシング情報のアイコンがタップ（操作）されると、タップされたアイコンに対応したセンシング情報を、投稿情報に決定する。
【００５２】
そして、情報投稿部３１ｂは、位置センサ３７あるいは歩数センサ３８が選択された場合は、投稿情報に決定すると同時に、位置情報あるいは歩数情報を、投稿先の家電１０を示す情報と共にクラウドサーバ２０に送信する。一方、カメラが選択された場合は、カメラ３６を起動させ、画像撮影後に、送信指示がなされると、撮影画像を、投稿先の家電１０を示す情報と共にクラウドサーバ２０に送信する。撮影画像には、撮影時間の情報等と共に、撮影場所の情報が付加されている。
【００５３】
（家電１０の構成）
家電１０は、ネットワーク通信が可能な機器である。家電１０は、クラウドサーバ２０からの操作信号（命令）を含む各種データを受信する。クラウドサーバ２０から受信するデータには、クラウドサーバ２０自体からのものに加え、クラウドサーバ２０を介して送信される通信端末装置３０からのものも含まれる。また、家電１０は、家電１０に関する情報をクラウドサーバ２０に送信する。
【００５４】
図６は、家電１０の概略構成を示すブロック図である。家電１０は、制御部１１、記憶部１３、運転動作部１４、通信部１５および音声出力部１６を備えている。
【００５５】
制御部１１は、例えば、ＣＰＵ（Central Processing Unit）や専用プロセッサ等の演算処理部等により構成されるコンピュータ装置からなり、家電１０の各部の動作を制御する。制御部１１は、クラウドサーバ２０から受信したデータが動作を命じる制御コマンドである場合、受け取った制御コマンドに応じて、運転動作部１４を動作させたり、音声出力部１６より発話させたりする。記憶部１３は、家電１０で用いられる各種情報を記憶する。通信部１５は、広域通信ネットワーク６２を介してクラウドサーバ２０と相互通信を行う。
【００５６】
運転動作部１４は、制御部１１による制御の下、家電１０の種類に応じた各種運転動作を実行する。例えば、エアコン１０−１である場合は、運転モードとして、冷房運転、暖房運転、除湿運転、送風運転等があり、これら各運転モードに強弱がある。空気清浄機１０−５である場合は、空気清浄運転モード、加湿運転モード、イオン発生運転モード等があり、これら各運転モードに強弱がある。冷蔵庫１０−３である場合に、通常運転モード、パワフル運転モード、高速製氷モード等がある。また、洗濯機１０−４である場合には、洗濯コース、洗濯・乾燥コース、乾燥コース等があり、さらに、洗濯コースには、通常の洗濯物か、おしゃれ着か、毛布か等、詳細に分かれている。オーブンレンジ１０−２である場合は、オーブン調理、レンジ調理であり、炊飯器１０−６である場合は、炊飯である。
【００５７】
音声出力部１６は、例えばスピーカとその駆動部とからなり、制御部１１の制御の下、音声データに基づいた音声を出力して発話する。
【００５８】
（センシング情報を家電に投稿する処理の流れ）
家電ネットワークシステム１００における各装置の処理を、図７の具体例を用いて説明する。図７は、通信端末装置３０から撮影画像をエアコン１０−１に投稿し、エアコン１０−１に撮影画像を利用した動作を行わせる場合の各装置の処理を示している。
【００５９】
通信端末装置３０は、ユーザの操作に従って、表示操作部３３に家電選択画面（図４参照）を表示する（Ｓ１）。そして、該画面において、エアコンのアイコンがタップ（操作）され、決定操作がなされると、エアコン１０−１をセンシング情報の投稿先として決定する（Ｓ２）。投稿先の家電１０が決定すると、表示操作部３３に情報選択画面（図５参照）を表示する（Ｓ３）。該画面において、カメラのアイコンがタップ（操作）され、決定操作がなされると、カメラ３６によるセンシング情報を、送信情報として決定する（Ｓ４）。
【００６０】
送信情報が決定すると、カメラ３６を起動させて、ユーザに画像を撮影させ、送信確定ボタン等がタップ（操作）されると、撮影画像を投稿先のエアコン１０−１を示す情報と共に、クラウドサーバ２０に送信する（Ｓ５）。
【００６１】
クラウドサーバ２０は、通信端末装置３０から、投稿先のエアコン１０−１を示す情報と撮影画像を受信すると（Ｓ６）、撮影画像の位置情報あるいは通信端末装置の位置情報と、投稿先であるエアコン１０−１に関して予め登録されている郵便番号情報とを比較して、エアコン１０−１の近くで撮影された画像であるかを判断する（Ｓ７）。
【００６２】
Ｓ７にて、エアコン１０−１の近くで撮影された画像である場合は、クラウドサーバ２０は、撮影画像をデータ処理して、画像内の人数、あるいは画像から天気を判定して、動作内容を決定するための情報を抽出する（Ｓ８）。人数あるいは天気の情報が抽出されると、クラウドサーバ２０は、人数あるいは天気に応じて、エアコン１０−１にて実行させる動作内容を決定し（Ｓ９）、エアコン１０−１に、決定した動作内容を命じる制御コマンドを送信する（Ｓ１０）。
【００６３】
エアコン１０−１は、クラウドサーバ２０から制御コマンドを受信すると（Ｓ１１）、制御コマンドに従って動作を実行する（Ｓ１２）。例えば、撮影画像に含まれる人数が多く、強冷房への変更および発話が命じられると、エアコン１０−１は、強暖房へ変更すると共に、例えば「今日は賑やかだね、冷やすよ！（強冷房への変更時）」といった内容を発話する。
【００６４】
なお、Ｓ７における、撮影画像がエアコン１０−１の近くで撮影されたものかどうかを判断するステップにおいて、近くで撮影されたものではないと判断された場合は、Ｓ８には移行しない。これにより、ユーザが、センシング情報の投稿先を選択する際に、撮影した室内に設置されたエアコン１０−１とは異なるエアコンを選択してしまっても、このような間違いは確実に排除できる。この場合、撮影画像の送信元の通信端末装置３０に投稿エラー示す情報を返信する等してもよい。
【００６５】
以上のように、本実施の形態の家電ネットワークシステム１００では、通信端末装置３０より通信端末装置３０が備えるセンサによるセンシング情報が、家電１０に投稿され、家電１０が投稿されたセンシング情報を用いた動作を実行する。
【００６６】
これにより、家電１０の内部やその設置空間に専用のセンサを増設することなく、家電１０が利用できるセンシング情報を増やして、家電１０の利便性を向上させることができる。１０−３
なお、本実施の形態では、投稿先の家電１０を選択してから、投稿するセンシング情報を選択する手順としているが、投稿するセンシング情報を選択してから、投稿先の家電１０を選択する手順としてもよい。搭載するセンサ全てのセンシング情報を、投稿先として選択できる家電１０全てにおいて投稿可能にする必要はなく、家電１０の種類に応じて投稿可能なセンシング情報の種類が決まっていてもよく、逆に、センシング情報の種類に応じて投稿可能な家電１０の種類が決まっていてもよい。また、認証部２１ｂと動作決定部２１ｄとをクラウドサーバ２０に設けたが、家電１０に設ける構成としてもよい。
【００６７】
〔実施の形態２〕
本実施の形態では、上記家電ネットワークシステム１００において、通信端末装置３０が備える位置センサ３７による位置情報（センシング情報）を、エアコン１０−１、オーブンレンジ１０−２、洗濯機１０−４および炊飯器１０−６に投稿して利用させる構成を説明する。
【００６８】
クラウドサーバ２０における認証部２１ｂは、通信端末装置３０より送信されてくるセンシング情報が位置情報である場合には、該位置情報を利用する家電１０との間に齟齬が無いかどうかを確認する処理をスキップする。
【００６９】
情報抽出部２１ｃは、通信端末装置３０より送信されてくるセンシング情報が位置情報である場合には、位置情報に応じて、通信端末装置３０を所持しているユーザの帰宅時間を判定し、帰宅時間の情報を抽出する。
【００７０】
動作決定部２１ｄは、情報抽出部２１ｃにて抽出された帰宅時間の情報に基づいて、対象の家電１０にて実行させる動作内容を決定する。以下に、具体例を挙げる。
【００７１】
Ｉ）対象の家電１０がエアコン１０−１であり、帰宅時間の情報が抽出されると、運転開始時刻を調整し、ユーザが帰宅した時に、快適な室温となる動作内容を決定する。
【００７２】
II）対象の家電１０が洗濯機１０−４であり、帰宅時間の情報が抽出されると、予約されている動作（例えば洗濯モード）の運転開始時刻を調整し、ユーザが帰宅した時に完了する動作内容を決定する。
【００７３】
III）対象の家電１０がオーブンレンジ１０−２又は炊飯器１０−６であり、帰宅時間の情報が抽出されると、予約されている動作（例えばオーブン料理や炊飯）の運転開始時刻を調整し、ユーザが帰宅した時に料理ができあがる動作内容を決定する。
【００７４】
〔実施の形態３〕
本実施の形態では、上記家電ネットワークシステム１００において、通信端末装置３０が備える歩数センサ３８による歩数情報（センシング情報）を、オーブンレンジ１０−２、冷蔵庫１０−３および洗濯機１０−４に投稿して利用させる構成を説明する。
【００７５】
クラウドサーバ２０における認証部２１ｂは、通信端末装置３０より送信されてくるセンシング情報が歩数情報である場合には、該歩数情報を利用する家電１０との間に齟齬が無いかどうかを確認する処理をスキップする。
【００７６】
情報抽出部２１ｃは、通信端末装置３０より送信されてくるセンシング情報が歩数情報である場合には、歩数情報に応じて、通信端末装置３０を所持しているユーザの運動量を判定し、運動量の情報を抽出する。
【００７７】
動作決定部２１ｄは、情報抽出部２１ｃにて抽出された運動量の情報に基づいて、対象の家電１０にて実行させる動作内容を決定する。以下に、具体例を挙げる。
【００７８】
Ｉ）対象の家電１０が洗濯機１０−４であり、運動量の情報が抽出されると、運動量に合った動作内容を決定する。例えば、「今日はいっぱい運動したから洗濯物があるんじゃない？」といった発話する動作内容を決定する。
【００７９】
II）対象の家電１０がオーブンレンジ１０−２又は冷蔵庫１０−３であり、運動量の情報が抽出されると、運動量に合った動作内容を決定する。例えば、「今日はいっぱい運動したから、○○○を摂ろう！×××がおすすめ」といった発話する動作内容を決定する。○○○には栄養素等がはいり、×××には○○○の栄養素等を含む調理メニューが入る。
【００８０】
〔実施の形態４〕
本実施の形態では、上記家電ネットワークシステム１００において、通信端末装置３０が備える温度センサ３５，湿度センサ３９による温度，湿度の情報（センシング情報）を、オーブンレンジ１０−２、冷蔵庫１０−３、洗濯機１０−４および空気清浄機１０−５に投稿して利用させる構成を説明する。
【００８１】
クラウドサーバ２０における認証部２１ｂは、通信端末装置３０より送信されてくるセンシング情報が温度情報又は湿度情報である場合には、該情報を利用する家電１０との間に齟齬が無いかどうかを確認する処理をスキップする。
【００８２】
情報抽出部２１ｃは、通信端末装置３０より送信されてくるセンシング情報が温度情報又は湿度情報である場合には、温度情報又は湿度情報に応じて、通信端末装置３０を所持しているが居る空間の温度，湿度を判定し、温度情報又は湿度情報を抽出する。
【００８３】
動作決定部２１ｄは、情報抽出部２１ｃにて抽出された温度情報又は湿度情報の情報に基づいて、対象の家電１０にて実行させる動作内容を決定する。以下に、具体例を挙げる。
【００８４】
Ｉ）対象の家電１０が洗濯機１０−４であり、温度情報が抽出されると、ユーザが居る空間の温度（気温）に合った動作内容を決定する。例えば、温度が基準よりも高い場合、洗濯モードでは、外に干した場合に良く乾くことを予想して、脱水時間を短くする。乾燥モードでは、水温の上昇等を予想して、乾燥時間を短くする。また、このような洗濯機１０−４の動作変更に合わせて、例えば「今日は暑いね、早く終わるよ！（気温が高い時）」といった発話も指示する。
【００８５】
II）対象の家電１０がオーブンレンジ１０−２であり、温度情報が抽出されると、ユーザが居る空間の温度（気温）に合った動作内容を決定する。例えば、「今日は暑いね、冷たい×××がおすすめ」といった発話する動作内容を決定する。×××には、気温に応じた調理メニューが入る。
【００８６】
III）対象の家電１０が冷蔵庫１０−３であり、温度情報が抽出されると、ユーザが居る空間の温度（気温）に合った動作内容を決定する。例えば、温度が基準よりも高い場合、氷が多く必要となることを予想して、高速製氷モードに変更する。また、このような冷蔵庫１０−３の動作変更に合わせて、例えば「今日は暑いね、氷をいっぱい作ろう、製氷タンクにお水を入れてよ！」といった発話する動作内容を決定する。
【００８７】
但し、通信端末装置３０に搭載された温度センサ３５および湿度センサ３９（特に温度センサ３５）は、センシング情報が、通信端末装置３０のユーザが位置する空間の気温や湿度であるとは限らない場合がある。これは、ユーザが通信端末装置３０を把持していると、ユーザの体温やユーザの手のひら近くの湿度をセンシングするためである。また、通信端末装置３０が充電中であると、充電中の機器自体の昇温をセンシングするためである。したがって、温度センサ３５および湿度センサ３９においては、通信端末装置３０に搭載されている加速度センサー等の情報とカップリングして、ユーザが通信端末装置３０を把持していないときや、充電中でないときのセンシング情報を投稿する必要がある。
【００８８】
〔実施の形態５〕
本実施の形態の家電ネットワークシステム１０１は、家電ネットワークシステム１００において、家電選択画面（図４参照）から投稿先の家電１０を選択しなくても、投稿した画像情報に基づいて、クラウドサーバ２０が投稿先の家電１０を決定する構成が付加されている。
【００８９】
クラウドサーバ２０の記憶部２２には、情報抽出部２１ｃが利用する家電１０に関する情報として、郵便番号の他に、洗濯機１０−４の選択槽内、冷蔵庫１０−３の庫内、エアコン１０−１の設置されている室内を、画像判別にて識別するための情報が格納されている。情報抽出部２１ｃは、受信した撮影画像を画像処理して、洗濯機１０−４の選択槽内、冷蔵庫１０−３の庫内、あるいはエアコン１０−１の何れかであるかを判定する。
【００９０】
例えば、冷蔵庫１０−３の庫内の画像であると判定されると、当該撮影画像の投稿先の家電１０は、冷蔵庫１０−３であると特定する。同様に、洗濯機１０−４の洗濯槽内の画像であると判定されると、当該撮影画像の投稿先の家電１０は、洗濯機１０−４であると特定する。また、エアコン１０−１の設置されている室内であると判定されると、当該撮影画像の投稿先の家電１０は、エアコン１０−１であると特定する。
【００９１】
なお、投稿先の家電１０を特定できない場合は、撮影画像の送信元の通信端末装置３０に投稿エラー示す情報を返信する等してもよい。
【００９２】
家電ネットワークシステム１０１における各装置の処理を、図８の具体例を用いて説明する。図８は、通信端末装置３０から撮影画像をクラウドサーバ２０に投稿し、クラウドサーバ２０が、撮影画像を利用した動作を行わせる対象の家電がエアコン１０−１であると特定して、エアコン１０−１に撮影画像を利用した動作を行わせる場合の各装置の処理を示している。
【００９３】
通信端末装置３０は、図７におけるＳ１、Ｓ２をスキップし、ユーザの操作に従って、表示操作部３３に情報選択画面（図５参照）を表示する（Ｓ３）。該画面において、カメラのアイコンがタップ（操作）され、決定操作がなされると、カメラ３６によるセンシング情報を、送信情報として決定する（Ｓ４）。
【００９４】
送信情報が決定すると、カメラ３６を起動させて、ユーザに画像を撮影させ、送信確定ボタン等がタップ（操作）されると、撮影画像（センシング情報）をクラウドサーバ２０に送信する（Ｓ２１）。
【００９５】
クラウドサーバ２０は、通信端末装置３０から、撮影画像を受信すると（Ｓ２２）、受信した撮影画像を画像処理して、投稿先の家電１０を特定する（Ｓ２３）。投稿先の家電１０が特定されると、クラウドサーバ２０は、撮影画像をデータ処理して、画像内の人数、あるいは画像から天気を判定して、動作内容を決定するための情報を抽出し（Ｓ２４）、その後は、図７のＳ９〜Ｓ１２と同様の処理を行う。
【００９６】
〔実施の形態６〕
本実施の形態の家電ネットワークシステム１０２は、家電ネットワークシステム１００において、家電選択画面（図４参照）から投稿先の家電１０を選択しなくても、投稿した画像情報に基づいて、クラウドサーバ２０が投稿先の家電１０を決定する別の構成が付加されている。
【００９７】
クラウドサーバ２０は、通信端末装置３０からセンシング情報を受信すると、情報抽出部２１ｃにて、データ処理して対象の家電１０の動作内容を決定するための情報を抽出し、動作決定部２１ｄにて、投稿先として選択可能な全ての家電１０について、抽出された情報に基づいて動作内容を決定する。動作決定部２１ｄは、各家電１０に決定した動作内容（発話動作も含む）にて対象の家電１０を駆動させるための制御コマンドを、センシング情報が通信端末装置３０から投稿された日時の情報と一緒に家電に送信する。
【００９８】
家電１０は、受信した日時の情報に基づいて、その時間の付近で、ドアが開閉されたり、リモコンによる操作を受けたりしていると、通信端末装置３０から投稿されたセンシング情報は自分宛であると判断して、受信した制御コマンドに応じた動作を実行する。
【００９９】
家電ネットワークシステム１０２における各装置の処理を、図９の具体例を用いて説明する。図９は、通信端末装置３０からセンシング情報をクラウドサーバ２０に投稿し、クラウドサーバ２０が、センシング情報を利用した動作内容を、投稿先として選択可能な全ての家電１０について決定して、制御コマンドを送信し、そのうちのエアコン１０−１が、自分宛の投稿であると判断して、エアコン１０−１のみに撮影画像を利用した動作を行わせる場合の各装置の処理を示している。
【０１００】
通信端末装置３０は、図７におけるＳ１、Ｓ２をスキップし、ユーザの操作に従って、表示操作部３３に情報選択画面（図５参照）を表示する（Ｓ３）。該画面において、例えば、歩数センサのアイコンがタップ（操作）され、決定操作がなされると、歩数情報（センシング情報）を、送信情報として決定する（Ｓ４）。
【０１０１】
送信情報が決定すると、歩数情報をクラウドサーバ２０に送信する（Ｓ２５）。クラウドサーバ２０は、通信端末装置３０から歩数情報を受信すると（Ｓ２６）、受信した歩数情報より運動量を判定して、運動量の情報を抽出する（Ｓ２７）。運動量の情報が抽出されると、クラウドサーバ２０は、投稿先として選択可能な全ての家電１０について、運動量に応じた動作内容を決定し（Ｓ２８）、全家電１０に決定した動作内容を命じる制御コマンドを、通信端末装置３０が歩数情報を送信した日時の情報（クラウドサーバ２０が通信端末装置３０から歩数情報を受信した日時の情報でもよい）と共に送信する（Ｓ２９）。
【０１０２】
制御コマンドを受信した全家電１０は各々、日時の情報と、自分に対するユーザ操作（ドアの開閉や、リモコンによる操作）の有無に基づいて、通信端末装置３０から投稿されたセンシング情報が自分宛であるか否かを判断し（Ｓ３０）、自分宛であると判断すると、受信した制御コマンドに応じた動作を実行する（Ｓ３１）。
【０１０３】
〔実施の形態７〕
本実施の形態の家電ネットワークシステム１０３は、家電ネットワークシステム１００において、通信端末装置３０に搭載されているセンサによるセンシング情報が、ある条件を満たしたら、家電１０に対して操作指示ができる、操作指示アイコンやボタンをポップアップ表示する構成が付加されている。
【０１０４】
通信端末装置３０の制御部３１には、図１０に示すように、通常では命じることができない特別な動作内容を家電１０に命じることができる特別操作指示部３１ｃが構築される。特別操作指示部３１ｃは、センシング情報が、予め設定されている条件を満たすと、通常では命じることができない特別な動作内容を家電１０に命じることを可能にするアイコン又はボタンをポップアップ表示する。
【０１０５】
例えば、センシング情報が温度情報である場合に、温度（気温）が３０°を超えると、エアコン１０−１にスペシャルモード運転を命じることのできるアイコンが登場する。また、センシング情報が歩数情報である場合に、歩数が１００００を超えると、図１１に示すような、冷蔵庫１０−３やオーブンレンジ１０−２にスペシャル調理メニューの提案を命じることのできるボタンがポップアップ表示される。
【０１０６】
特別操作指示部３１ｃが表示したアイコンがタップ（操作）され、決定操作がなされると、通信端末装置３０からクラウドサーバ２０に家電１０にスペシャルモード運転や、スペシャル調理メニューを提案させる指示が送られ、クラウドサーバ２０は、これらが実行されるように、動作内容を決定して対象の家電１０に制御コマンドを送信する。クラウドサーバ２０は必要に応じて、スペシャル調理メニューの音声データを作成したりする。
【０１０７】
エアコン１０−１のスペシャル運転モードとしては、例えば、「ターボ冷房モード」や「フルパワー冷房モード」といった、ユーザが設定した温度になるまで、コンプレッサーおよびファンの運転量を最大として動作するモードが考えられる。
【０１０８】
また、冷蔵庫１０−３のスペシャル運転（発話）としては、例えば、「よく運動したね、今日は疲労回復できる豚肉のしょうが焼きなんてどう？」といった、疲労回復に効果のある調理メニューの紹介などが考えられる。なお、ここで紹介する調理メニューは、その調理を行うために必要な食材が庫内に存在していなくてもよい。
【０１０９】
また、オーブンレンジ１０−２のスペシャル運転（発話）としては、例えば、「よく運動したね、疲労回復メニューを用意したよ！」といったものが考えられ、その後、オーブンレンジ１０−２に、クラウドサーバ２０に格納されえいる疲労回復効果のある調理メニューの中から、豚肉のしょうが焼きの調理メニューがダウンロードされる仕組みであってもよい。
【０１１０】
〔実施の形態８〕
実施の形態１から７にて説明した家電ネットワークシステム１００〜１０３における、対応付管理部２１ａ、認証部２１ｂ、情報抽出部２１ｃ、動作決定部２１ｄ、遠隔操作部３１ａ、情報投稿部３１ｂ、特別操作指示部３１ｃはそれぞれ、集積回路（ＩＣチップ）等に形成された論理回路（ハードウェア）によって実現してもよいし、ＣＰＵ（Central Processing Unit）を用いてソフトウェアによって実現してもよい。
【０１１１】
後者の場合、家電ネットワークシステム１００〜１０３における、通信端末装置３０、各家電１０、クラウドサーバ２０は、それぞれ、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１２】
また、クラウドサーバ２０は必ずしも必要なく、クラウドサーバ２０が所持していた機能を、家電に具備させてもよい。また、実施の形態におけるクラウドサーバ２０の機能の一部を家電に持たせてもよい。
【０１１３】
本発明は上述した各実施の形態に限定されるものではなく、種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【０１１４】
〔まとめ〕
本発明の態様１に係る家電ネットワークシステム（１００）は、家電（１０）とサーバ装置（クラウドサーバ２０）と通信端末装置（３０）とが通信ネットワーク（６２）を介して接続された家電ネットワークシステムであって、前記通信端末装置は、自身が備えるセンサのセンシング情報を前記サーバ装置へ送信する処理を所望のタイミングで受け付けて実行する情報投稿部（３１ｂ）を備え、前記サーバ装置は、前記通信端末装置より受信したセンシング情報より家電に命じる動作内容を決定するための情報を抽出する抽出部（情報抽出部２１ｃ）を備え、前記サーバ装置又は家電は、前記抽出部にて抽出された情報に基づいて家電の動作内容を決定する決定部（動作決定部２１ｄ）を備え、前記家電は、前記決定部にて決定された動作内容を実行することを特徴とする。
【０１１５】
上記構成によれば、通信端末装置の情報投稿部は、所望のタイミングで、通信端末装置が備えるセンサのセンシング情報をサーバ装置へ送信する。サーバ装置の抽出部は、前記通信端末装置より受信したセンシング情報より家電に命じる動作内容を決定するための情報を抽出する。決定部は、抽出部にて抽出された情報に基づいて家電の動作内容を決定し、家電は、決定部にて決定された動作内容を実行する。なお、決定部は、サーバ装置又は家電の何れにも搭載できる。
【０１１６】
これにより、家電内部やその設置空間に専用のセンサを増設することなく、家電が利用できるセンシング情報を増やして、家電の利便性を向上させることができる。
【０１１７】
本発明の態様２に係る家電ネットワークシステム（１００）は、さらに、前記情報投稿部は、備える複数のセンサの中から、センシング情報を送信する対象のセンサを選択させるための情報選択画面を表示し、該情報選択画面にて選択されたセンサのセンシング情報を前記サーバ装置に送信する構成である。
【０１１８】
上記構成によれば、情報選択画面を用いることで、家電に送信するセンシング情報（対象のセンサ）を、通信端末装置に搭載されている複数のセンサの中から簡単に選択することが可能となる。
【０１１９】
本発明の態様３に係る家電ネットワークシステム（１００）は、さらに、前記情報投稿部は、センシング情報を利用させ得る複数の家電の中から、センシング情報を利用させる対象の家電を選択させるための家電選択画面を表示し、該家電選択画面にて選択された家電を示す情報を、前記センシング情報と共に前記サーバ装置に送信する構成である。
【０１２０】
上記構成によれば、家電選択画面を用いることで、センシング情報を送信する対象の家電を、センシング情報を利用させ得る複数の家電の中から簡単に選択することが可能となる。
【０１２１】
本発明の態様４に係る家電ネットワークシステム（１００）は、さらに、前記センシング情報が、撮像画像、位置情報又は歩数情報である。
【０１２２】
本発明の態様５に係る家電ネットワークシステム（１００）は、さらに、前記センシング情報が撮影画像であり、前記サーバ装置又は家電に、撮影画像の位置に関する情報と、予め登録されている家電の位置に関する情報とを比較して、前記家電選択画面にて選択された家電と撮影画像とに齟齬がないことを確認する認定部（２１ｄ）が設けられている構成である。
【０１２３】
上記構成によれば、認証部が、撮影画像の位置に関する情報と、予め登録されている家電の位置に関する情報とが比較されて、家電選択画面にて選択された家電と撮影画像とに齟齬がないかを確認する。したがって、ユーザが撮影画像の投稿先の家電を間違えて選択したとしても、間違って選択された家電においてその撮像画像が利用されることはない。
【産業上の利用可能性】
【０１２４】
本発明は、通信機能を有するセンサと家電を、通信ネットワークを介して接続した家電ネットワークシステムに関するもので、通信端末装置を用いて家電を遠隔操作する遠隔操作システム等に利用できる。
【符号の説明】
【０１２５】
１０  家電
１１  制御部
１４  運転動作部
１６  音声出力部
１５  通信部
２０  クラウドサーバ（サーバ装置）
２１  制御部
２１ａ  対応付管理部
２１ｂ  認証部
２１ｃ  情報抽出部（抽出部）
２１ｄ  動作決定部（決定部）
３０  通信端末装置
３１  制御部
３１ａ  遠隔操作部
３１ｂ  情報投稿部
３１ｃ  特別操作指示部
３３  表示操作部
３５  温度センサ
３６  カメラ
３７  位置センサ
３８  歩数センサ
３９  湿度センサ
１００  家電ネットワークシステム
１０１  家電ネットワークシステム
１０２  家電ネットワークシステム
１０３  家電ネットワークシステム
【図１】
0006460762.tif 000002
【図２】
0006460762.tif 000003
【図３】
0006460762.tif 000004
【図４】
0006460762.tif 000005
【図５】
0006460762.tif 000006
【図６】
0006460762.tif 000007
【図７】
0006460762.tif 000008
【図８】
0006460762.tif 000009
【図９】
0006460762.tif 000010
【図１０】
0006460762.tif 000011
【図１１】
0006460762.tif 000012